(57)【要約】【課題】授乳期の女性が容易に赤ちゃんに授乳することができると共に、授乳前後の乳房のサイズ変化により柔軟に対応させて快適な装着感を維持することができる授乳用ブラジャーを提供する。【解決手段】一対のカバー布１１，１１が左右に自在にスライド可能に取り付けられているアンダーバストベルト１４と、カバー布１１，１１間を連結する連結体１７とを備える。連結体１７には面ファスナー部材１８ｂが取り付けられており、カバー布１１に取り付けられた面ファスナー部材１８ａと係着されることによって、カバー布１１，１１間の連結は容易に係脱が可能になる。【選択図】図３
2008240195.tif 000002
【特許請求の範囲】
【請求項１】
一対のカバー布を有する授乳用ブラジャーにおいて、
前記カバー布の下縁部が左右スライド自在に取り付けられているアンダーバストベルトと、
前記カバー布間を連結する係脱可能な連結部と
を備えることを特徴とする授乳用ブラジャー。
【請求項２】
一対のカバー布を有する授乳用ブラジャーにおいて、
前記カバー布の下縁部が左右スライド自在に取り付けられているアンダーバストベルトと、
前記一対のカバー布の対向縁部に夫々設けられて相互に係合する留め具と、
前記カバー布間を連結する係脱可能な連結部と
を備えることを特徴とする授乳用ブラジャー。
【請求項３】
前記連結部は、面ファスナーにより前記カバー布と係着するようにしてあること
を特徴とする請求項１又は２に記載の授乳用ブラジャー。
【請求項４】
前記連結部の一部は、一対のカバー布の一方に取り付けられており、
前記連結部の他部と前記カバー布の他方との夫々に面ファスナー部材が取り付けられていること
を特徴とする請求項３に記載の授乳用ブラジャー。
【請求項５】
前記連結部は帯状の連結体で構成されており、
前記連結体の一端部は、前記一対のカバー布の一方の下部であり、他方と対向する側の表面に重ねるように取り付けられており、
前記面ファスナー部材は、前記一対のカバー布の他方の下部であり一方と対向する側の表面と、前記連結体の他端部の前記表面に対向する面とに取り付けられていること
を特徴とする請求項４に記載の授乳用ブラジャー。
【請求項６】
前記カバー布は、伸縮性を有する素材からなること
を特徴とする請求項１乃至５のいずれかに記載の授乳用ブラジャー。
【発明の詳細な説明】
【技術分野】
【０００１】
本発明は、授乳期の女性が容易に赤ちゃんに授乳することができると共に、授乳前後の乳房のサイズ変化により柔軟に対応させて快適な装着感を維持することができる授乳用ブラジャーに関する。
【背景技術】
【０００２】
従来から、授乳期の女性が授乳をしやすいようカップ部を開閉できるようにしたブラジャーが提案されている（特許文献１）。また、妊産婦のアンダーバストの変化に対応できるよう、アンダーバストの長さ調節を可能にしたブラジャーが提案されている（特許文献２）。
【特許文献１】特開平８−１２７９０４号公報
【特許文献２】特開２００２−２４９９０１号公報
【発明の開示】
【発明が解決しようとする課題】
【０００３】
特許文献１に開示されている授乳用ブラジャーでは、カップ部を開閉するためにホックの掛け外し操作を必要とする。したがって、授乳する女性は、片方の腕で赤ちゃんを抱えた状態で掛け外し操作を行う必要があり、その掛け外し操作は極めて煩雑である。特に、授乳が終わってからホックをかける操作が片手では困難であり問題となる。
【０００４】
また、特許文献１に開示されている授乳用ブラジャーは、授乳用ではないブラジャーと同様にアンダーバストの部分にワイヤーが挿入されたカップ部を有している。したがって、授乳前後に乳房のサイズに大きな変化が起こる授乳期の女性にとって、ブラジャーのサイズが合わなくなることで、乳房を締め付けたり、逆にカップの中で隙間ができて使用感が悪くなる可能性があった。
【０００５】
一方、特許文献２に開示されている授乳用ブラジャーは、アンダーバストのサイズ変化には対応できるものの、授乳前後の乳房のサイズ変化については考慮されていない。したがって、特許文献１に開示されている授乳ブラジャーと同様に、乳房を締め付けたり、隙間ができて使用感が悪くなる可能性があった。
【０００６】
本発明は斯かる事情に鑑みてなされたものであり、カバー布が左右に自在にスライド可能である一方、カバー布間が係脱可能に連結される連結部を備える構成とすることにより、カバー布夫々が不要に体の左右へ移動してしまうことを防止し、授乳期の女性が容易に赤ちゃんに授乳することができる授乳用ブラジャーを提供することを目的とする。
【０００７】
本発明の他の目的は、連結部が面ファスナーにより係着する構成とすることにより、赤ちゃんを抱えたまま、授乳の際はカバー布間を容易に外して乳房を露呈することができると共に、授乳後は容易にカバー布間を連結させることができる授乳用ブラジャーを提供することにある。
【０００８】
また、本発明の他の目的は、乳房をカバーするカバー布を伸縮性を有する素材により構成することにより、赤ちゃんへの授乳を容易にすると共に、しかも授乳前後の乳房のサイズ変化により柔軟に対応させて快適な装着感を維持することができる授乳用ブラジャーを提供することにある。
【課題を解決するための手段】
【０００９】
第１発明に係る授乳用ブラジャーは、一対のカバー布を有する授乳用ブラジャーにおいて、前記カバー布の下縁部が左右スライド自在に取り付けられているアンダーバストベルトと、前記カバー布間を連結する係脱可能な連結部とを備えることを特徴とする。
【００１０】
第２発明に係る授乳用ブラジャーは、一対のカバー布を有する授乳用ブラジャーにおいて、前記カバー布の下縁部が左右スライド自在に取り付けられているアンダーバストベルトと、前記一対のカバー布の対向縁部に夫々設けられて相互に係合する留め具と、前記カバー布間を連結する係脱可能な連結部とを備えることを特徴とする。
【００１１】
第３発明に係る授乳用ブラジャーは、前記連結部は、面ファスナーにより前記カバー布と係着するようにしてあることを特徴とする。
【００１２】
第４発明に係る授乳用ブラジャーは、前記連結部の一部は、一対のカバー布の一方に取り付けられており、前記連結部の他部と前記カバー布の他方との夫々に面ファスナー部材が取り付けられていることを特徴とする。
【００１３】
第５発明に係る授乳用ブラジャーは、前記連結部は帯状の連結体で構成されており、前記連結体の一端部は、前記一対のカバー布の一方の下部であり、他方と対向する側の表面に重ねるように取り付けられており、前記面ファスナー部材は、前記一対のカバー布の他方の下部であり一方と対向する側の表面と、前記連結体の他端部の前記表面に対向する面とに取り付けられていることを特徴とする。
【００１４】
第６発明に係る授乳用ブラジャーは、前記カバー布は、伸縮性を有する素材からなることを特徴とする。
【００１５】
本発明にあっては、カバー布がアンダーバストベルトに対して左右自在にスライド可能であると共に、カバー布間が連結部により連結することが可能となる。
【００１６】
本発明にあっては、左右自在にスライドするカバー布間を、留め具とは別の連結部でも連結することが可能である。
【００１７】
本発明にあっては、第１発明又は第２発明における連結部は、面ファスナーによりカバー布間の連結部の係脱が容易になる。
【００１８】
本発明にあっては、第３発明における面ファスナー部材は、一対のカバー布の一方に取り付けられた連結部と、他方のカバー布との間を係着可能にする。
【００１９】
本発明にあっては、第４発明における連結部は帯状の連結体からなり、連結体の一端部は一方のカバー布の下部であって他方と対向する側に取り付けられている。面ファスナー部材が、連結体の他端部と他方のカバー布の下部であって他方と対向する側の表面とに対向するように取り付けられている。これにより、連結体とカバー布との間の一箇所を係着することにより、カバー布間が連結体により連結される。
【００２０】
本発明にあっては、第１発明乃至第５発明の授乳用ブラジャーのカバー布は伸縮性を有し、乳房のサイズの変化に柔軟に対応する。
【発明の効果】
【００２１】
本発明による場合、授乳期の女性である使用者は、赤ちゃんへの授乳の際、ブラジャー本体を脱衣することなくカバー布のみをアンダーバストベルトに対してスライドさせることにより乳房を露呈させ、且つ乳房をしまうことができる。使用者は、カバー布を脇側に寄せることにより乳房を露呈させるので、授乳中にカバー布が邪魔になることもない。これにより、使用者は、ホックの掛け外しの作業を行うことなしに容易に赤ちゃんに授乳することができる。さらに、授乳の際以外はカバー布が連結部により連結されるので、カバー布がアンダーバストベルトに対して左右に不要にスライドして、カバー布間が離れてしまうことを防止することができる。
【００２２】
さらに、連結部を係脱が容易な構成とすることにより、使用者は赤ちゃんを抱えたまま片手でカバー布間の連結の係脱を行う操作が可能である。したがって、カバー布間を留め具により係合することができるように構成されている場合でも、その留め具とは別に片手で係脱が容易な連結部により、使用者は赤ちゃんを抱えたまま片手で乳房を露呈させ、乳房をしまうことが容易になる。
【００２３】
本発明による場合、カバー布間を連結する連結部は面ファスナーでカバー布に係着可能な構成とすることにより、使用者はカバー布間の連結の係脱の操作を赤ちゃんを抱えたまま片手で容易に行なうことができる。
【００２４】
本発明による場合、連結部の一部が一対のカバー布の内の一方に取り付けられており、連結部の他部とカバー布の他方との夫々に面ファスナー部材が取り付けられた構成とすることにより、連結部の一部を係着する操作を容易に行なうことができる。
【００２５】
さらに、連結部が帯状の連結体で構成され、一端部が一対のカバー布の一方の下部の他方と対向する側に取り付けられていることにより、連結体の取り付けられていない方の端部を持ち、他方のカバー布側へ引っ張り係着する操作が容易になり、カバー布のアンダーバストベルトに対するスライドと、カバー布間の連結の係脱とを容易に行なうことができる。また、連結体によるカバー布の連結は連結体の一端部に取り付けられた面ファスナー部材をカバー布の面ファスナー部材に係着又は剥脱することにより可能になり、片手で係脱の操作が容易になる。
【００２６】
本発明による場合はさらに、カバー布を含むブラジャー本体が伸縮性を有することから、授乳前後の乳房のサイズ変化により柔軟に対応するので、乳房を締め付けたり使用感が悪くなる可能性が低くなり、快適な装着感を維持することができる。カップ又はワイヤーで乳房を締め付けないので、本発明の授乳ブラジャーを装着した状態で乳房が前後左右に揺れ動き、乳房の血行が良くなって母乳の出も良くなる。
【発明を実施するための最良の形態】
【００２７】
以下本発明をその実施の形態を示す図面に基づき具体的に説明する。
【００２８】
図１は、本発明の授乳用ブラジャーを示す正面図である。図２は、本発明の授乳用ブラジャーを示す背面図である。本発明の授乳用ブラジャー１は、着用時に乳房を覆う一対のカバー布１１，１１、カバー布１１，１１夫々から背面に延びたバックベルト１２、カバー布１１，１１夫々の上端とバックベルト１２の上端とに夫々取り付けられる２本のつり紐１３、及び、カバー布１１，１１及びバックベルト１２の下縁部１２ｂに沿ってスライド自在に取り付けられたアンダーバストベルト１４を備えている。
【００２９】
カバー布１１，１１は略三角形状であり、四方に向けて伸縮可能に編成されたコットン地が用いられている。また、カバー布１１，１１は、乳房の下部を支える部分１５（下部）をその他の部分（上部）より強い伸縮性を有するように編成してある。これにより、適度なフィット感をもたせながら乳房を覆うことができ、乳房のサイズ変化により柔軟に対応させて快適な装着感を維持させることができる。なお、カバー布１１，１１とバックベルト１２とは一体に編成されていて継ぎ目がなく構成されている。カップ又はワイヤーで乳房を締め付けないので、さらに使用者に快適な装着感を与え、乳房が前後左右に揺れ動くことで乳房の血行が良くなって母乳の出も良くなる。
【００３０】
カバー布１１，１１夫々の対向縁部の下側には、相互に係合するホック１６ａ（オス），１６ｂ（メス）がカバー布間の留め具として設けられている。これにより、授乳の際以外はホック１６ａ，１６ｂを使用して乳房をカバー布で確実に支えることができる。
【００３１】
さらに、本発明の授乳用ブラジャー１にはカバー布１１，１１を連結することができる連結体１７が備えられている。連結体１７は帯状の布製である。連結体１７の一端部は、一方のカバー布１１の下部であり、他方のカバー布と対向する側の表面に重ねるように縫着されている。連結体１７の他端部の背面側には、面ファスナー部材１８ｂ（オス）が縫着されている。他方のカバー布１１の下部であり、一方のカバー布と対向する側の表面には、連結体１７に縫着されている面ファスナー部材１８ｂと対向するように面ファスナー部材１８ａ（メス）が縫着されている。連結体１７により、ホック１６ａ，１６ｂを使用することなしにカバー布１１，１１を連結し、乳房をブラジャーで支えることができる。連結体１７については詳細を後述する。
【００３２】
連結体１７は帯状の布製に限られないのは勿論である。ケミカルレースを横長に連結体１７として使用してもよい。なお、連結体１７はカバー布１１から延出するように一体に編成する構成でもよい。連結体１７を一端が環状に形成された紐状のもので構成し、ボタン等で掛け外しが可能な構成でもよい。また、連結体１７の表側にリボン、レース等の装飾体を取り付けることで連結体１７が隠れるように構成してもよい。この場合、授乳用ブラジャーそのもののデザイン性を高めることができる。
【００３３】
アンダーバストベルト１４は、伸縮自在のゴム紐状素材から形成されている。アンダーバストベルト１４の両端には、相互に係合可能な留め具１９ａ，１９ｂが設けられている。アンダーバストベルト１４は、カバー布１１，１１及びバックベルト１２の下縁部１１ｂ，１１ｂ，１２ｂが折り返されて輪になった部分に左右スライド自在に挿通されている。使用者は、アンダーバストベルト１４をアンダーバスト部に巻きつけ、アンダーバストベルト１４の両端の留め具１９ａ，１９ｂをカバー布１１，１１の下縁部１１ｂ，１１ｂから正面側に突出させて相互に係合することにより、本発明に係るブラジャーを装着することができ、カバー布１１，１１をアンダーバストベルト１４に対して自在に左右へスライドさせることができる。
【００３４】
図２に示すように、アンダーバストベルト１４の略中央部は、バックベルト１２の略中央部１２ｃに折り返し部内で縫着されている。これにより、アンダーバストベルト１４が折り返し部内で不要にスライドし、輪になった折り返し部から抜け出てしまうことを防ぐことができる。
【００３５】
なお、つり紐１３及びアンダーバストベルト１４には長さ調節を可能にするバックル２０，２０，バックル２１，２１を夫々設けてもよい。
【００３６】
図３は、本発明の授乳用ブラジャー１を構成するカバー布１１，１１に取り付けられている連結体１７を示す拡大図である。図３（ａ）は、連結体１７によりカバー布１１，１１を連結していない状態を示し、図３（ｂ）は、連結体１７によりカバー布１１，１１を連結した状態を示している。
【００３７】
図３（ａ）の白矢印に示すように、連結体１７に縫着された面ファスナー部材１８ｂが、他方のカバー布１１に縫着されている面ファスナー部材１８ａに係着されることにより、図３（ｂ）に示すように連結体１７によってカバー布１１，１１が連結される。面ファスナー部材１８ａ，１８ｂは、面と略並行な方向に対する力に対してずれにくいので、カバー布１１，１１の連結は乳房を支えるために充分な強度で保たれる。
【００３８】
次に、上述のように構成される本発明のブラジャーを使用する際の使用者の操作について以下に説明する。
【００３９】
使用者は、つり紐１３を夫々両肩に掛け、アンダーバストベルト１４の両端部を持ちアンダーバスト部に巻きつけ、両端部の留め具１９ａ，１９ｂにより留める。使用者は、左右のカバー布１１，１１を夫々乳房に当てて乳房を覆い、カバー布１１，１１の対向縁部下側に取り付けられたホック１６ａ，１６ｂを夫々係合させてカバー布１１，１１を連結させ、更に、連結体１７の面ファスナー部材１８ｂをカバー布１１の面ファスナー部材１８ａに係着させる。これにより、使用者は本発明の授乳用ブラジャー１を装着することができる。
【００４０】
使用者は、本発明の授乳用ブラジャー１を装着したまま赤ちゃんに授乳する際、アンダーバストベルト１４は留め具１９ａ，１９ｂにより留めた状態を維持し、連結体１７及びカバー布１１の面ファスナー部材１８ａ，１８ｂを剥脱し、カバー布１１，１１のホック１６ａ，１６ｂを外す。これにより、カバー布１１，１１がアンダーバストベルト１４に対して自在に左右にスライドするようになるので、使用者は、ブラジャーを装着したまま容易に乳房を露呈することができる。これにより使用者は、赤ちゃんを片手で抱えたまま乳房を容易に露呈することができる。なお、このとき、ホック１６ａ，１６ｂを事前に外しておくことにより、赤ちゃんを抱えてから乳房を露呈しようとする際には面ファスナー部材１８ａ，１８ｂのみを剥脱すればよく、赤ちゃんを片手で抱えたまま授乳の作業を容易に行うことができる。
【００４１】
さらに使用者は、赤ちゃんへの授乳後、カバー布１１，１１をスライドさせて乳房をしまうことができる。このとき、赤ちゃんを片手で抱えたまま、ホック１６ａ，１６ｂを係合させることなしに連結体１７の面ファスナー部材１８ｂをカバー布１１の面ファスナー部材１８ａに係着させることで容易にカバー布１１，１１間を連結させることができる。使用者は、ホック１６ａ，１６ｂを係合させることにより、カバー布１１，１１で確実に乳房を支えることができるが、赤ちゃんを抱えたまま授乳後にホック１６ａ，１６ｂを片手で係合させるのは難しい。本発明の授乳用ブラジャー１は、ホック１６ａ，１６ｂを係合させることなしにカバー布１１，１１を連結させて乳房を支えることができる。使用者は、連結体１７により応急的にカバー布１１，１１を連結させて授乳後の赤ちゃんを寝かせることができ、その後、カバー布１１，１１が乳房を確実に支えるためにホック１６ａ，１６ｂを係合させる作業を行うことができる。このように、本発明の授乳用ブラジャー１による場合、ブラジャーを装着したまま赤ちゃんを抱えて容易に授乳をすることができる優れた効果を奏する。
【００４２】
なお、本実施の形態では、カバー布１１，１１間の留め具としてホック１６ａ，１６ｂにより連結することが可能な構成としたが、ホック１６ａ，１６ｂを留め具として備えない構成としても良い。この場合であっても、連結体１７が備えられていることにより、授乳の際以外は連結体１７で連結してカバー布１１，１１が左右に不要にスライドすることを防止し、カバー布１１，１１に乳房をホールドさせることができる。
【００４３】
なお、本実施の形態では、一対のカバー布１１，１１とバックベルト１２とを一体に編成する構成としたが、カバー布１１，１１とバックベルト１２とを、さらにカバー布１１，１１とつり紐１３とを分離可能に構成し、カバー布１１，１１夫々を単独で交換できる構成でもよい。
【図面の簡単な説明】
【００４４】
【図１】本発明の授乳用ブラジャーを示す正面図である。
【図２】本発明の授乳用ブラジャーを示す背面図である。
【図３】本発明の授乳用ブラジャーを構成するカバー布に取り付けられている連結体を示す拡大図である。
【符号の説明】
【００４５】
１  授乳用ブラジャー
１１  カバー布
１４  アンダーバストベルト
１６ａ，１６ｂ  ホック
１７  連結体
１８ａ，１８ｂ  面ファスナー部材
【図１】
2008240195.tif 000003
【図２】
2008240195.tif 000004
【図３】
2008240195.tif 000005